(57)【特許請求の範囲】
【請求項１】
便器に接続される排水部品を床面よりも上側の所定の高さの切断箇所において切断工具で切断するための切断補助具であって、
前記床面に支持されるとともに、上端部に沿って前記切断工具が水平移動可能なガイド部を有し、
前記ガイド部には、下部側に切欠き部が形成され、
前記切欠き部は、前記排水部品における前記切断箇所よりも下部側に位置し前記切断箇所よりも前記排水部品の表面から突出している部分が配置されることを特徴とする切断補助具。
【請求項２】
前記ガイド部は、前記排水部品を挟んで２つ設けられていることを特徴とする請求項１に記載の切断補助具。
【請求項３】
前記ガイド部の高さ寸法を調整可能であることを特徴とする請求項１又は２に記載の切断補助具。
【請求項４】
前記便器の梱包材で形成されていることを特徴とする請求項１乃至３のいずれか一項に記載の切断補助具。
【発明の詳細な説明】
【技術分野】
【０００１】
本発明は、便器の排水配管や排水ソケットなどの排水部品を床面よりも上側の所定の高さにおいて切断工具で切断するための切断補助具に関する。
【背景技術】
【０００２】
従来、便器から汚物を排出するための流水にサイホンを起動可能なオリフィス部（絞り部）を有する排水ソケットが知られている（例えば、特許文献１参照）。このような排水ソケットは、床に固定されるとともに排水配管に接着されていて、排水配管の内側で排水ソケットとの接着部分よりも下側にオリフィス部が配置されている。
排水配管には、一般に数種類の径や肉厚の異なる規格の硬質塩ビ管のうちのいずれかが使用されている。このため、排水ソケットは、これらの規格の異なる排水配管のいずれにも接着可能な形状に形成されており、排水配管の規格ごとに接着される高さや接着される部分が異なっている。排水ソケットは、排水配管の外側または内側と接着される。
また、これに伴い排水配管は、排水ソケットを床面に固定するために、排水ソケットを設定された高さで接着できるように規格ごとに床面からの立ち上がり寸法が異なっている。
【０００３】
例えば、異なる規格のうちの１つの排水配管の場合には、排水配管がその上端部が床面と同じ高さとなるように設置され、排水ソケットは、床面よりも下側において排水配管に接着されている。また、他の規格の排水配管の場合には、排水配管がその上端部が床面よりも所定の高さ（例えば４０ｍｍ）上側に位置するように設置され、排水ソケットは、床面よりも上側において排水配管に接着されている。また、排水ソケットは、排水配管の外周面に接着される場合と、内周面に接着される場合とがある。
このため、排水配管の種類によって、その上端部が床面と同じ高さとなるように排水配管の上部側を切断したり、その上端部が床面よりも所定の高さ上側になるように排水配管の上部側を切断したりしている。
【０００４】
また、リフォームなどにより便器を交換する際には、既存便器の排水ソケットを撤去するために排水ソケットや排水配管を切断することがある。このとき、排水ソケットや排水配管を、排水ソケットと排水配管との接着位置に対して適切な高さで切断しないと、排水ソケットを撤去できなかったり、排水ソケットの下部側に設けられて排水配管と接着されていない部分、具体的にはオリフィス部などが落下したりすることがある。
このため、排水配管の規格から排水ソケットと排水配管との接着位置を確認する必要がある。しかしながら、排水ソケットが排水配管を覆っており、外部から排水配管の規格を確認することができない。このため、排水ソケットをそのオリフィス部が落下しないように床面よりも所定の高さ上側で切断し、排水配管の規格を確認する必要がある。
【０００５】
排水配管や排水ソケットを床面よりも所定の高さ上側において切断する場合には、作業者は、排水配管や排水ソケットの切断位置に印をし、のこぎりやカッターなどの切断工具を床面から上側に浮かせた状態で押し引きして印に沿って排水配管や排水ソケットを切断している。
【先行技術文献】
【特許文献】
【０００６】
【特許文献１】特開２００９−５７６９４号公報
【発明の概要】
【発明が解決しようとする課題】
【０００７】
しかしながら、切断工具を浮かせた状態で排水配管や排水ソケットを切断すると、作業者の肉体的な負担が大きく排水配管や排水ソケットを容易に切断できないとともに、切断された排水配管や排水ソケットの高さに誤差が生じる虞がある。
切断された排水配管の高さが設定高さよりも低いと、排水配管と新設される排水ソケットとの接着面が不足して臭気漏れの原因となる虞がある。また、切断された排水配管の高さが設定高さよりも高いと、排水ソケットが床面から浮いてしまい、排水ソケットを床面に固定できないという問題がある。
【０００８】
そこで、本発明は、排水配管や排水ソケットなどの排水部品を床面より上側の所定の高さにおいて容易にかつ精度よく切断できる切断補助具を提供することを目的とする。
【課題を解決するための手段】
【０００９】
上記目的を達成するため、本発明に係る切断補助具は、便器に接続される排水部品を床面よりも上側の所定の高さの切断箇所において切断工具で切断するための切断補助具であって、前記床面に支持されるとともに、上端部に沿って前記切断工具が水平移動可能なガイド部を有し、前記ガイド部には、下部側に切欠き部が形成され、前記切欠き部は、前記排水部品における前記切断箇所よりも下部側に位置し前記切断箇所よりも前記排水部品の表面から突出している部分が配置されることを特徴とする。
【００１０】
本発明では、ガイド部の上端部に沿って切断工具が水平に移動可能であることにより、切断工具をぐらつくことなく安定した状態で水平に移動させることができる。そして、ガイド部の上端部の高さを、切断工具が排水部品を床面よりも上側の所定の高さで切断可能な高さとすることにより、排水部品を床面よりも上側の所定の高さにおいて容易にかつ精度よく切断することができる。
なお、排水部品とは、排水配管や、排水ソケットなどの排水経路を構成するための排水部材を示すものとする。
また、本発明に係る切断補助具では、前記ガイド部には、下部側に切欠き部が形成されていることにより、床面に排水部品のフランジなどの部材が設けられている場合でも、この床面に設けられた部材が切欠き部の内部に入るようにガイド部を設置することにより、ガイド部を床面に設けられた部材と干渉せずに設置することができる。
【００１１】
また、本発明に係る切断補助具では、前記ガイド部は、前記排水部品を挟んで２つ設けられていることが好ましい。
このような構成とすることにより、切断工具が２つのガイド部の上端部に沿って水平に移動するため、切断工具を床面よりも上側の所定の高さにおいてより安定した状態で水平に移動させることができる。
【００１２】
また、本発明に係る切断補助具では、前記ガイド部の高さ寸法を調整可能であることが好ましい。
このような構成とすることにより、排水部品を所望の高さに切断することができる。
【００１４】
また、本発明に係る切断補助具は、前記便器の梱包材で形成されていてもよい。
このような構成とすることにより、切断補助具として専用の治具を準備する必要がないため、切断補助具の準備にかかる労力を軽減できるとともに、切断補助具を安価に提供することができる。
【発明の効果】
【００１５】
本発明によれば、排水部品を床面から所定の高さにおいて容易にかつ精度よく切断することができる。
【図面の簡単な説明】
【００１６】
【図１】（ａ）は本発明の第１実施形態による切断補助具の一例を示す平面図、（ｂ）は（ａ）の正面図である。
【図２】（ａ）は排水部品を説明する斜視図、（ｂ）は（ａ）のＡ−Ａ線断面図である。
【図３】（ａ）は切断補助具の一例を示す斜視図、（ｂ）は（ａ）の平面図である。
【図４】（ａ）はガイド部材を板面に直交する方向から見た図である。
【図５】本発明の第２実施形態による切断補助具を形成するためのガイド部形成用板材を板面に直交する方向から見た図である。
【図６】（ａ）は高さ寸法が６０ｍｍのガイド部を説明する図、（ｂ）は高さ寸法が５０ｍｍのガイド部を説明する図、（ｃ）は高さ寸法が４０ｍｍのガイド部を説明する図である。
【図７】（ａ）は本実施形態による切断補助具の第１変形例を説明する図、（ｂ）は本実施形態による切断補助具の第２変形例を説明する図、（ｃ）は本実施形態による切断補助具の第３変形例を説明する図である。
【発明を実施するための形態】
【００１７】
（第１実施形態）
以下、本発明の実施形態による切断補助具について、図１乃至図４に基づいて説明する。
図１に示すように、本実施形態による切断補助具１は、便器１１（図２参照）のリフォームを行う際に使用され、既存の便器１１の排水ソケット（排水部品）１２や既存の便器１１の排水配管（排水部品）１３を、のこぎりやカッターなどの切断工具１４で床面１５から所定の高さにおいて切断する際に使用される。
【００１８】
図２に示すように、排水配管１３は、床面１５から上側に突出しており、本実施形態では、上端部１３ａが床面１５よりも約４０ｍｍ上側となるように配管されている。
排水ソケット１２は、上部側が床面１５より上側に配置され、下部側が床面１５よりも下側に配置されている。排水ソケット１２の下部側には、便器１１から汚物を排出する際に流水にサイホンを起動可能なオリフィス部１２１が設けられている。
排水ソケット１２のうち床面１５よりも上側の部分は、排水配管１３の内側に配置されてオリフィス部１２１と連続する筒状の内側部分１２３と、排水配管１３の外周を囲うように配置される筒状の外側部分１２４と、これらの内側部分１２３の上端部と外側部分１２４の上端部とを排水配管１３の上端部１３ａの上側において連結する連結部分１２５と、を有している。なお、連結部分１２５の上部には他の部材が接続されている。
【００１９】
本実施形態では、排水ソケット１２の外側部分１２４の内周面が、排水配管１３の外周面の床面１５よりも上側の部分に直接接着されている。なお、排水ソケット１２の内側部分１２３は、排水配管１３に直接接着されていない。
このため、排水配管１３から排水ソケット１２を撤去する場合には、排水ソケット１２を排水配管１３の上端部１３ａ近傍の高さ（床面１５よりも約４０ｍｍ上側）において、外側部分と連結部分とを水平に切断（図２（ｂ）の二点鎖線１４１で切断）し、切断された排水ソケット１２の連結部分１２５、内側部分１２３およびオリフィス部１２１を排水配管１３から撤去する必要がある。
【００２０】
図１および図３に示すように、切断補助具１は、排水ソケット１２（図１参照）の周囲に設置され、平面視においてそれぞれが略三角形の各辺を構成するように配置された３つの平板状のガイド部２，２，２を有している。これらのガイド部２，２，２は、例えば、新設する便器１１（図２参照）を梱包していた梱包材の一部の段ボールなどでそれぞれ略同じ形状に形成されている。
ガイド部２，２，２は、それぞれ板面が水平方向を向き、下端部２ａが床面１５に当接するように配置されている。
【００２１】
ここで、図４に示すように、ガイド部２に対して、板面に直交する方向から見た水平方向を幅方向とし、鉛直方向を高さ方向とし、板面に直交する方向を厚さ方向（図４の紙面に直交する方向）とする。
ガイド部２は、それぞれ板面が幅方向に長い長尺であるとともに高さ寸法Ｈ１が略４０ｍｍに形成され、床面１５に設置されると上端部２ｂが床面１５（図３参照）よりも４０ｍｍ上側の高さにおいて水平方向に延在するように構成されている。
【００２２】
ガイド部２には、幅方向の一方の端部２ｃ近傍に高さ方向の上側に開口する第１凹部２１が形成され、幅方向の他方の端部２ｄ近傍に高さ方向の下側に開口する第２凹部２２が形成されている。第１凹部２１の深さ寸法（高さ寸法）Ｈ２および第２凹部２２の深さ寸法（高さ寸法）Ｈ３は、それぞれガイド部２の高さ寸法Ｈ１の略１／２の寸法となっている。また、第１凹部２１および第２凹部２２の幅寸法Ｗ１，Ｗ２は、ガイド部２の厚さ寸法と略同じ寸法となっている。
ここで、ガイド部２の第１凹部２１の直下の部分を第１板部２３とし、第２凹部２２の直上の部分を第２板部２４とすると、第１板部２３の高さ寸法Ｈ４および第２板部２４の高さ寸法Ｈ５は、それぞれガイド部２の高さ寸法Ｈ１の略１／２の寸法となっている。
【００２３】
また、ガイド部２には、下部側の幅方向の中間部に幅方向に延在し下方に開口する切欠き部２５が形成されている。このため、ガイド部２は、幅方向の両端部２ｃ，２ｄ近傍の下端部２ａが床面１５と当接するように配置される。
なお、切欠き部２５は、第１凹部２１および第２凹部２２と離間した位置に形成されている。
【００２４】
図３に戻り、３つのガイド部２，２，２は、平面視において略三角形となるように配置され、隣り合うガイド部２，２の一方のガイド部２の第１凹部２１と他方のガイド部２の第２板部２４とが嵌合し、一方のガイド部２の第１板部２３と他方のガイド部２の第２凹部２２とが嵌合することでそれぞれ連結されて、切断補助具１が形成している。
ここで、第１凹部２１の高さ寸法Ｈ２と第２板部２４の高さ寸法Ｈ５とが略同じであるとともに、第２凹部２２の高さ寸法Ｈ３と第１板部２３の高さ寸法Ｈ４とが略同じである。これにより、３つのガイド部２，２，２は、連結された状態で床面１５に設置されると、それぞれの上端部２ｂ，２ｂ，２ｂが略同じ高さに水平方向に延在するように配置される。
【００２５】
次に、上述した切断補助具１を使用した排水ソケット１２の切断方法について説明する。
まず、図１に示すように、３つのガイド部２，２，２が排水ソケット１２を側方から囲むように切断補助具１を設置する。
このとき、３つのガイド部２，２，２それぞれの下端部２ａを床面１５に当接させるが、床面１５に排水ソケット１２のフランジ１２２などの部材が固定されている場合は、この部材が切欠き部２５の内部に配置されるように３つのガイド部２，２，２の位置を調整する。また、３つのガイド部２，２，２のうちの２つのガイド部２，２を排水ソケット１２の側面１２ａに当接させる。本実施形態では、図１（ａ）に示す２つの点Ｐ１，Ｐ２において２つのガイド部２，２が排水ソケット１２の側面１２ａと当接している。
【００２６】
続いて、排水ソケット１２の側面１２ａに当接している２つのガイド部２，２の上端部２ｂ，２ｂにわたるように切断工具１４の刃１４ａをその側面が２つのガイド部２，２の上端部２ｂ，２ｂに当接するように載せる。このようにすることにより、切断工具１４の刃１４ａが床面１５から４０ｍｍの高さに配置される。
そして、これらの２つのガイド部２，２の上端部２ｂ，２ｂに沿って切断工具１４を移動させるとともに押し引きして、排水ソケット１２を切断する。
このようにすることで、排水ソケット１２が床面１５よりも４０ｍｍ上側の高さにおいて切断される。
【００２７】
次に、上述した切断補助具１の作用・効果について図面を用いて説明する。
上述した本実施形態による切断補助具１では、ガイド部２は、切断工具１４の刃１４ａを上端部２ｂに沿って移動可能に保持できることにより、切断工具１４を床面１５よりも上側の所定の高さ（４０ｍｍ）において安定した状態で水平に移動させることができる。このため切断工具１４がぐらつくことがなく、排水ソケット１２を床面１５よりも上側の所定の高さにおいて容易にかつ精度よく切断することができる。
【００２８】
特に、本実施形態では、切断工具１４が２つのガイド部２，２に保持されるため、切断工具１４を床面１５よりも上側の所定の高さにおいてより安定した状態で水平に移動させることができる。また、これらの２つのガイド部２，２は、排水ソケット１２の側面１２ａに当接しているため、切断工具１４の移動に伴ってガイド部２，２が移動することを抑制できる。
また、２つのガイド部２，２が連結されることで形成される角部近傍において、これらの２つのガイド部２，２の上端部２ｂ，２ｂに切断工具１４を載せることで、長さの短い切断工具１４であっても２つのガイド部２，２の上端部２ｂ，２ｂにわたるように載せることができる。このため、長さの短い切断工具１４であっても、排水ソケット１２を床面１５より上側の所定の高さにおいて容易にかつ精度よく切断することができる。
【００２９】
また、ガイド部２には、切欠き部２５が形成されていることにより、床面１５に排水ソケット１２のフランジ１２２などの部材が設けられている場合でも、このフランジ１２２などの部材が切欠き部２５の内部に入るようにガイド部２を設置することにより、ガイド部２をフランジ１２２などの部材と干渉せずに設置することができる。
【００３０】
また、切断補助具１は、新設する便器１１の梱包材で形成されていることにより、切断補助具１として専用の治具を準備する必要がないため、切断補助具１の準備にかかる労力を軽減できるとともに、切断補助具１を安価に提供することができる。
【００３１】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
第２実施形態による切断補助具１は、第１実施形態と同様に３つのガイド部２，２，２を有しており、これらのガイド部２，２，２それぞれが、図５に示す新設する便器を梱包していた梱包材の一部の段ボールなどで形成された板状のガイド部形成用板材３，３，３から製作されている。
ガイド部形成用板材３は、３種類の高さ寸法４０ｍｍ、５０ｍｍ、６０ｍｍのうちの選択された１つの高さ寸法のガイド部２を製作可能に構成されている。
【００３２】
ガイド部形成用板材３は、板面が幅方向に長い長尺の略長方形状に形成されている。
ガイド部形成用板材３は、それぞれ幅方向の一方の端部３ｃ近傍に高さ方向の上側に開口する第１凹部３１が形成され、幅方向の他方の端部３ｄ近傍に高さ方向の下側に開口する第２凹部３２が形成されている。第１凹部３１および第２凹部３２の切欠き深さ寸法（高さ寸法）は、ガイド部形成用板材３の高さ寸法の略半分の寸法となっている。また、第１凹部３１および第２凹部３２の幅寸法は、ガイド部形成用板材３の厚さ寸法と略同じ寸法となっている。ここで、ガイド部形成用板材３の第１凹部３１の直下の部分を第１板部３３とし、第２凹部３２の直上の部分を第２板部３４とする。
【００３３】
ガイド部形成用板材３には、上部側にそれぞれ幅方向全体にわたって延びる２つの切断線４１，４２が高さ方向に間隔をあけて形成され、下部側にそれぞれ幅方向全体にわたって延びる２つの切断線４３，４４が高さ方向に間隔をあけて形成されている。
ここで、ガイド部形成用板材３の上部側の２つの切断線４１，４２のうちの上側の切断線を第１切断線４１とし、下側の切断線を第２切断線４２とし、下部側の２つの切断線４３，４４のうちの下側の切断線を第３切断線４３とし、上側の切断線を第４切断線４４とする。
【００３４】
第１切断線４１および第２切断線４２は、第１凹部３１の幅方向の両側に形成されるとともに、第２板部３４にも形成されている。また、第３切断線４３および第４切断線４４は、第２凹部３２の幅方向の両側に形成されるとともに、第１板部３３および後述する第５切断線４５の内側にも形成されている。
これらの第１〜第４切断線４１〜４４は、ガイド部形成用板材３に加工されたミシン目などで、これらの第１〜第４切断線４１〜４４のいずれかに沿って作業者がガイド部形成用板材３を切断することで、ガイド部形成用板材３を上下に切断することができる。
【００３５】
本実施形態では、ガイド部形成用板材３は、６０ｍｍの高さ寸法に形成されていて、上端部３ｂから５ｍｍ下側に第１切断線４１が形成され、上端部３ｂから１０ｍｍ下側に第２切断線４２が形成され、下端部３ａから５ｍｍ上側に第３切断線４３が形成され、下端部３ａから１０ｍｍ上側に第４切断線４４が形成されている。
【００３６】
また、ガイド部形成用板材３には、下部側の幅方向の中間部に幅方向に延在し下方に開口する略Ｃ字状の第５切断線４５が形成されている。第５切断線４５は、幅方向の両端部においてそれぞれ上下方向に延びる２つの縦切断線４５ａ，４５ａと、２つの縦切断線４５ａ，４５ａの上端部を結ぶ横切断線４５ｂと、を有している。横切断線４５ｂは、幅方向に延在していて、第２切断線４２よりも下側で第４切断線４４よりも上側に配置されている。２つの縦切断線４５ａ，４５ａは、ガイド部形成用板材３の第２凹部３２と第１板部３３との間に配置され、第２凹部３２および第１板部３３と離間した位置に配置されている。
【００３７】
第５切断線４５は、ガイド部形成用板材３に加工されたミシン目などで、この第５切断線４５に沿って作業者がガイド部形成用板材３を切断することで、ガイド部形成用板材３の第５切断線４５の内側の部分を切り取ることができる。
【００３８】
続いて、切断補助具１を製作する方法について説明する。
まず、高さ寸法が６０ｍｍの切断補助具１を製作する方法について説明する。
まず、ガイド部形成用板材３を第５切断線４５で切断し、第５切断線４５の内側を切り取り撤去する。これにより、図６（ａ）に示す高さ寸法が６０ｍｍのガイド部２Ａが形成される。
【００３９】
このとき、ガイド部形成用板材３の第１凹部３１をガイド部２の第１凹部２１とし、ガイド部形成用板材３の第２凹部３２をガイド部２の第２凹部２２とし、ガイド部形成用板材３の第１板部３３をガイド部２の第１板部２３とし、ガイド部形成用板材３の第２板部３４をガイド部２の第２板部２４とし、第５切断線４５の内側の空部を切欠き部２５とする。
【００４０】
続いて、３つのガイド部２Ａ，２Ａ，２Ａを、図１に示す第１実施形態と同様に、平面視において排水ソケット１２を囲む略三角形状となるように配置し、隣り合うガイド部２Ａ，２Ａの端部２ｃ，２ｄをそれぞれ嵌合させる。また、必要に応じて、切欠き部２５の内側に排水ソケット１２のフランジ１２２などの部材を配置する。
このようにすることで、３つのガイド部２Ａ，２Ａ，２Ａの上端部２ｂ，２ｂ，２ｂがそれぞれ床面１５よりも６０ｍｍ上側に位置する切断補助具１が製作される。
そして、切断工具１４をこの切断補助具１の２つのガイド部２Ａ，２Ａの上端部２ｂ，２ｂに当接させた状態で移動させるとともに押し引きして、排水ソケット１２を切断する。このようにすることにより、排水ソケット１２が床面１５から６０ｍｍ上側で切断される。
【００４１】
続いて、高さ寸法が５０ｍｍの切断補助具１を製作する方法について説明する。
まず、ガイド部形成用板材３を第５切断線４５で切断し、第５切断線４５の内側を切り取り撤去する。続いて、ガイド部形成用板材３を第１切断線４１で切断し第１切断線４１の上側を切り取り撤去するとともに、残っている第３切断線４３で切断し第３切断線４３の下側を切り取り撤去する。これにより、図６（ｂ）に示す高さ寸法が５０ｍｍのガイド部２Ｂが形成される。
なお、ガイド部形成用板材３を第３切断線４３で切断した後に、残っている第５切断線で切断してもよい。
【００４２】
このとき、ガイド部形成用板材３の第１凹部３１のうちの第１切断線４１よりも下側の部分をガイド部２の第１凹部２１とし、ガイド部形成用板材３の第２凹部３２のうち第３切断線４３よりも上側の部分をガイド部２の第２凹部２２とし、ガイド部形成用板材３の第１板部３３のうちの第３切断線４３よりも上側の部分をガイド部２の第１板部２３とし、ガイド部形成用板材３の第２板部３４のうちの第１切断線４１よりも下側の部分をガイド部２の第２板部２４とし、第５切断線４５の内側の空部のうちの第３切断線４３よりも上側の部分を切欠き部２５とする。
【００４３】
続いて、３つのガイド部２Ｂ，２Ｂ，２Ｂを、図１に示す第１実施形態と同様に、平面視において排水ソケット１２を囲む略三角形状となるように配置し、第１実施形態と同様に隣り合うガイド部２Ｂ，２Ｂの端部をそれぞれ嵌合させる。また、必要に応じて、切欠き部２５の内側に排水ソケット１２のフランジ１２２などの部材を配置する。
このようにすることで、３つのガイド部２Ｂ，２Ｂ，２Ｂの上端部２ｂ，２ｂ，２ｂがそれぞれ床面１５よりも５０ｍｍ上側に位置する切断補助具１が製作される。
そして、切断工具１４をこの切断補助具１の２つのガイド部２Ｂ，２Ｂの上端部２ｂ，２ｂに当接させた状態で移動させるとともに押し引きして、排水ソケット１２を切断する。このようにすることにより、排水ソケット１２が床面１５から５０ｍｍ上側で切断される。
【００４４】
続いて、高さ寸法が４０ｍｍの切断補助具１を製作する方法について説明する。
まず、ガイド部形成用板材３を第５切断線４５で切断し、第５切断線４５の内側を切り取り撤去する。続いて、ガイド部形成用板材３をそれぞれ第２切断線４２で切断し第２切断線４２の上側を切り取り撤去するとともに、残っている第４切断線４４で切断し第４切断線４４の下側を切り取り撤去する。これにより、高さ寸法が４０ｍｍのガイド部２Ｃが形成される。
なお、ガイド部形成用板材３を第４切断線４４で切断した後に、残っている第５切断線４５で切断してもよい。
【００４５】
このとき、ガイド部形成用板材３の第１凹部３１のうちの第２切断線４２よりも下側の部分をガイド部２の第１凹部２１とし、ガイド部形成用板材３の第２凹部３２のうち第４切断線４４よりも上側の部分をガイド部２の第２凹部２２とし、ガイド部形成用板材３の第１板部３３のうちの第４切断線４４よりも上側の部分をガイド部２の第１板部２３とし、ガイド部形成用板材３の第２板部３４のうちの第２切断線４２よりも下側の部分をガイド部２の第２板部２４とし、第５切断線４５の内側の空部のうちの第４切断線４４よりも上側の部分を切欠き部２５とする。
【００４６】
続いて、３つのガイド部２Ｃ，２Ｃ，２Ｃを、図１に示す第１実施形態と同様に、平面視において排水ソケット１２を囲む略三角形状となるように配置し、第１実施形態と同様に隣り合うガイド部２Ｃ，２Ｃの端部をそれぞれ嵌合させる。また、必要に応じて、切欠き部２５の内側に排水ソケット１２のフランジ１２２などの部材を配置する。
このようにすることで、３つのガイド部２Ｃ，２Ｃ，２Ｃの上端部２ｂ，２ｂ，２ｂがそれぞれ床面１５よりも６０ｍｍ上側に位置する切断補助具１が製作される。
そして、切断工具１４をこの切断補助具１の２つのガイド部２Ｃ，２Ｃの上端部２ｂ，２ｂに当接させた状態で移動させるとともに押し引きして、排水ソケット１２を切断する。このようにすることにより、排水ソケット１２が床面１５から４０ｍｍ上側で切断される。
【００４７】
第２実施形態による切断補助具１では、第１実施形態と同様の効果を奏する。
また、ガイド部形成用板材３には第１〜第４切断線４１〜４４が形成されていて、選択された高さ寸法のガイド部２を形成することができる。このため、同一のガイド部形成用板材３から高さ寸法の異なる切断補助具１を形成することができる。
【００４８】
以上、本発明による切断補助具の実施形態について説明したが、本発明は上記の実施形態に限定されるものではなく、その趣旨を逸脱しない範囲で適宜変更可能である。
例えば、上記の実施形態では、切断補助具１は、３つのガイド部２，２，２が平面視において略三角形状となるように配置されているが、ガイド部２の数や配置は適宜設定されてよい。また、ガイド部２の寸法も適宜設定されてよい。
また、上記の実施形態では、隣り合うガイド部２，２は、一方のガイド部２の第１凹部２１と他方のガイド部２の第２板部２４とが嵌合し、一方のガイド部２の第１板部２３と他方のガイド部２の第２凹部２２とが嵌合することで連結されているが、隣り合うガイド部２，２が接着テープなどによって接着されていてもよい。
【００４９】
また、上記の実施形態では、隣り合うガイド部２が直接連結されているが、例えば、図７（ａ）に示す切断補助具１のように、離間して配置される２つのガイド部２Ｄ，２Ｄが、連結材６を介して連結されていてもよい。このような場合、連結材６も梱包材で形成されていてもよい。
また、上記の実施形態では、ガイド部２は平板状に形成されているが、切断工具１４を所定の高さに保持可能であれは、図７（ｂ）に示す切断補助具１のガイド部２Ｅのような屈曲した板状や、図７（ｃ）に示す切断補助具１のガイド部２Ｆのような湾曲した板状に形成されていてもよい。また、ガイド部２は板状以外の形状に形成されていてもよい。
【００５０】
また、上記の実施形態では、切断補助具１は、切欠き部２５が形成されているが、形成されていなくてもよい。また、複数のガイド部２が設けられている場合は、すべてのガイド部でなく一部のガイド部２に切欠き部２５が形成され、一部以外のガイド部２に切欠き部２５が形成されていなくてもよい。
【００５１】
また、上記の第２実施形態では、ガイド部形成用板材３には第１〜第４切断線４１〜４４が形成され、選択された切断線でガイド部形成用板材３を切断することでガイド部２が形成されているが、これらの第１〜第４切断線４１〜４４に代わって折り曲げ線が形成されていて、ガイド部形成用板材３を所定の位置で折り曲げることで所定の高さのガイド部２が形成されるように構成されていてもよい。
また、ガイド部形成用板材３に形成される切断線の数や切断線どうしの間隔は適宜設定されてよい。
【００５２】
また、上記の第２実施形態において、ガイド部２に切欠き部２５が不要な場合は、第５切断線４５でガイド部形成用板材３を切断しなくてもよい。また、第２実施形態において、ガイド部２に切欠き部２５が不要な場合は、ガイド部形成用板材３に切欠き部２５を形成するための切断線（本実施形態では第５切断線４５）が形成されていなくてもよい。
また、上記の第２実施形態では、ガイド部形成用板材３に第１凹部３１および第２凹部３２が形成されているが、第１凹部３１および第２凹部３２を形成するための切断線が形成されていて、作業者が第１〜第５切断線４１〜４５を切断する際に併せて切断して第１凹部３１および第２凹部３２を形成するように構成されていてもよい。
【００５３】
また、上記の実施形態では、切断補助具１は、便器１１の梱包材の一部で形成されているが、梱包材とは別に設けられていてもよい。
また、上記の実施形態では、切断補助具１は、段ボールで形成されているが、段ボール以外の材料で形成されていてもよい。
また、上記の実施形態では、切断補助具１は排水ソケット１２を所定の高さに切断するために用いられているが、排水配管１３を所定の高さに切断するために用いられてもよい。
また、上記の実施形態では、ガイド部２を排水ソケット１２の側面１２ａに当接させた状態で排水ソケット１２を切断しているが、ガイド部２を排水ソケット１２の側面１２ａに当接させずには排水ソケット１２を切断してもよい。
【符号の説明】
【００５４】
１  切断補助具
２，２Ａ，２Ｂ，２Ｃ  ガイド部
２ｂ  上端部
３  ガイド部形成用板材
１１  便器
１２  排水ソケット（排水部品）
１３  排水配管（排水部品）
１４  切断工具
１５  床面
２５  切欠き部
４１  第１切断線
４２  第２切断線
４３  第３切断線
４４  第４切断線
４５  第５切断線
【図１】
0006450240.tif 000002
【図２】
0006450240.tif 000003
【図３】
0006450240.tif 000004
【図４】
0006450240.tif 000005
【図５】
0006450240.tif 000006
【図６】
0006450240.tif 000007
【図７】
0006450240.tif 000008